(57)【要約】【課題】本体ケースに着脱自在に装着された貯水容器を備えた加湿装置において、更に加湿量が向上することを目的とする。【解決手段】本体ケース１は仕切板部４によって第１の空間部５と第２の空間部６とに仕切られている。第１の空間部５には送風部３と加湿フィルター１２と供給部１５とを設け、第２の空間部６には着脱自在に貯水容器１１を設けている。仕切板部４は、第１の空間部５と第２の空間部６とを連通する第１の連通部４Ａと第２の連通部４Ｂとを有している。ポンプ部１４は第１の連通部４Ａを介して貯水容器１１内の水を供給部１５へ送り、トレイ部１６は第２の連通部４Ｂを介して加湿フィルター１２から余剰水を貯水容器１１へ戻す。第１の空間部５は吸込口７と吹出口８とを連通する風路１０であることを特徴とする。【選択図】図２
2018054194.tif 000002
【特許請求の範囲】
【請求項１】
吸込口と吹出口を有する本体ケースと、
前記本体ケース内に設けられた加湿部材と送風部とを備え、
前記加湿部材は、
水を貯水する貯水容器と、
水を保水する加湿フィルターと、
前記貯水容器内の水を前記加湿フィルターへ供給する水供給部材とを備え、
前記水供給部材は、
前記加湿フィルターへ水を供給する供給部と、
前記供給部へ前記貯水容器内の水を送るポンプ部と、
前記加湿フィルターから余剰水を前記貯水容器へ戻すトレイ部とを備え、
前記送風部は前記本体ケース外の空気を前記吸込口から吸い込み前記加湿フィルターを介して前記吹出口から吹き出し、
前記本体ケースには、
前記送風部と前記加湿フィルターと前記供給部とを備えた第１の空間部と、
前記貯水容器を着脱自在に備えた第２の空間部を設け、
前記第１の空間部と前記第２の空間部とを仕切板部によって空間的に仕切ることを特徴とする加湿装置。
【請求項２】
前記仕切板部は、
前記第１の空間部と前記第２の空間部とを連通する第１の連通部と第２の連通部とを有し、
前記ポンプ部は前記第１の連通部を介して前記貯水容器内の水を前記供給部へ送り、
前記トレイ部は前記第２の連通部を介して前記加湿フィルターから余剰水を前記貯水容器へ戻し、
前記第１の空間部は前記吸込口と前記吹出口とを連通する風路であることを特徴とする加湿装置。
【請求項３】
前記第１の空間部は前記第２の空間部の上方に配置され、
前記第１の連通部と前記第２の連通部とは、
前記貯水容器の上方に配置されたことを特徴とする請求項１に記載の加湿装置。
【発明の詳細な説明】
【技術分野】
【０００１】
本発明は、本体ケースに着脱自在に装着された貯水容器を備えた加湿装置に関するものである。
【背景技術】
【０００２】
従来の加湿装置においては、水を貯水する貯水容器と、貯水容器の水に下端が浸漬した加湿フィルターとを備えていた。加湿フィルターは、貯水容器の水を吸い上げ、保水した状態となる。この保水した加湿フィルターへ送風部によって室内の空気が送風され、加湿された空気となり、加湿された空気が室内へ送風され、加湿するものである。貯水容器は、本体ケースから取り外してメンテナンスを行うので、本体ケースから容易に着脱可能な構成であった。
【先行技術文献】
【特許文献】
【０００３】
【特許文献１】特開２００５−２７４０９７号公報
【発明の概要】
【発明が解決しようとする課題】
【０００４】
このような従来の加湿装置においては、貯水容器は、内部に加湿フィルターを備えていたので、風路の一部を形成していた。また、貯水容器が本体ケースに容易に着脱可能な構成なので、貯水容器と本体ケースとの間に隙間を有する場合があった。送風部が駆動すると、室内の空気は、本体ケースにおける吸込口と、貯水容器と本体ケースとの間の隙間との両方から本体ケース内へ吸い込まれる。貯水容器と本体ケースとの間の隙間から吸い込まれる空気の一部は、加湿フィルターを通過せずに室内へ送風される場合があり、これにより、加湿量が低下するという課題を有していた。
【０００５】
そこで本発明は、上記従来の課題を解決するものであり、更に加湿量が向上する加湿装置を提供することを目的とする。
【課題を解決するための手段】
【０００６】
そして、この目的を達成するために、本発明は、吸込口と吹出口を有する本体ケースと、前記本体ケース内に設けられた加湿部材と送風部とを備え、前記加湿部材は、水を貯水する貯水容器と、
水を保水する加湿フィルターと、前記貯水容器内の水を前記加湿フィルターへ供給する水供給部材とを備え、前記水供給部材は、前記加湿フィルターへ水を供給する供給部と、前記供給部へ前記貯水容器内の水を送るポンプ部と、
前記加湿フィルターから余剰水を前記貯水容器へ戻すトレイ部とを備え、前記送風部は前記本体ケース外の空気を前記吸込口から吸い込み前記加湿フィルターを介して前記吹出口から吹き出し、前記本体ケースには、前記送風部と前記加湿フィルターと前記供給部とを備えた第１の空間部と、前記貯水容器を着脱自在に備えた第２の空間部を設け、前記第１の空間部と前記第２の空間部とを仕切板部によって空間的に仕切ることを特徴としたものであり、これにより所期の目的を達成するものである。
【発明の効果】
【０００７】
本発明によれば、吸込口と吹出口を有する本体ケースと、前記本体ケース内に設けられた加湿部材と送風部とを備え、前記加湿部材は、水を貯水する貯水容器と、
水を保水する加湿フィルターと、前記貯水容器内の水を前記加湿フィルターへ供給する水供給部材とを備え、前記水供給部材は、前記加湿フィルターへ水を供給する供給部と、前記供給部へ前記貯水容器内の水を送るポンプ部と、
前記加湿フィルターから余剰水を前記貯水容器へ戻すトレイ部とを備え、前記送風部は前記本体ケース外の空気を前記吸込口から吸い込み前記加湿フィルターを介して前記吹出口から吹き出し、前記本体ケースには、前記送風部と前記加湿フィルターと前記供給部とを備えた第１の空間部と、前記貯水容器を着脱自在に備えた第２の空間部を設け、前記第１の空間部と前記第２の空間部とを仕切板部によって空間的に仕切ることを特徴としたものである。
【０００８】
以上の構成により、本体ケースは仕切板部によって第１の空間部と第２の空間部とに仕切られ、第２の空間部には着脱自在に貯水容器を設け、第１の空間部には吸込口と吹出口とを連通する風路を設けている。このように、貯水容器は風路の外に配置されたので、貯水容器と本体ケースとの間の隙間から風路を介して送風部へ吸い込まれる空気が低減し、更に加湿量が向上するという効果を得ることができる。
【図面の簡単な説明】
【０００９】
【図１】本発明の実施の形態１の加湿装置を示す斜視図
【図２】同加湿装置を示す断面図
【発明を実施するための形態】
【００１０】
以下、本発明の実施の形態について図面を参照しながら説明する。
【００１１】
（実施の形態１）
図１は、本発明の実施の形態１の加湿装置を示す斜視図である。図２は、本発明の実施の形態１の加湿装置を示す断面図である。図２は、本体ケースにおける右側から見た状態である。
【００１２】
図１、図２に示すように、加湿装置は、本体ケース１と、本体ケース１内に設けられた加湿部材２と、送風部３とを備えている。
【００１３】
本体ケース１は、縦長の箱形状であり、本体ケース１内は、水平に設けられた平板形状の仕切板部４によって、第１の空間部５と第２の空間部６とに仕切られている。第１の空間部５は、第２の空間部６の上方に配置されている。本体ケース１の外周面の前面側には吸込口７を備えられている。本体ケース１の天面の背面側には吹出口８が備えられ、本体ケース１の天面の前面側には四角形状の操作部９が備えられている。吸込口７と吹出口８は、本体ケース１外と第１の空間部５とを連通している。本体ケース１における第１の空間部５内には、吸込口７と吹出口８とを連通する風路１０を有している。
【００１４】
加湿部材２は、貯水容器１１と、加湿フィルター１２と、水供給部材１３とを備えている。
【００１５】
貯水容器１１は、上方が開口した椀形状であり、水を貯水することができる。貯水容器１１は、第２の空間部６内に設けられ、本体ケース１における前面側から着脱可能に装着されている。貯水容器１１を本体ケース１における前面側へ引き出すと、本体ケース１から貯水容器１１が外れる。
【００１６】
加湿フィルター１２は、平板形状であり、多くの繊維を備え、繊維と繊維の間に水を保水することができる。加湿フィルター１２は、第１の空間部５内に、吸込口７と加湿フィルター１２の平面部が対向するように設けられている。貯水容器１１内の水が、水供給部材１３によって加湿フィルター１２の上方から供給される。
【００１７】
水供給部材１３は、ポンプ部１４と、供給部１５と、トレイ部１６とを備えている。ポンプ部１４は、貯水容器１１内の水を供給部１５へ供給し、供給部１５では供給部１５内の水が加湿フィルター１２へ滴下する。加湿フィルター１２で保水されない余剰水は、トレイ部１６を介して貯水容器１１へ戻される。
【００１８】
ポンプ部１４は、貯水容器１１内の水を供給部１５へ供給する。ポンプ部１４は、ポンプ１７と、ポンプモータ１８と、第１の管１９と、第２の管２０と、連結ユニット２１とを備えている。
【００１９】
ポンプ１７は、一例として、ケーシング内で羽根車が回転することにより送水する遠心ポンプである。ポンプ１７は、貯水容器１１内に設けられ、第１の管１９の一方側の端部と接続されている。ポンプ１７は、ポンプモータ１８によって駆動すると、貯水容器１１内の水を吸い上げ、筒形状である第１の管１９へ水を送る。
【００２０】
ポンプモータ１８は、ポンプ１７と対向し、貯水容器１１の外側である第２の空間部６に設けられている。ポンプモータ１８の回転軸（図示せず）には、磁石（図示せず）が固定されている。ポンプ１７内には、磁石がインサート成形された羽根車が回転自在に設けられている。貯水容器１１が本体ケース１に装着された状態で、ポンプモータ１８の磁石の回転軸と、ポンプ１７内の羽根車（図示せず）の回転軸は、同軸上に配置されており、近接することにより、磁力により回転が同期することになる。ポンプモータ１８の磁石が回転することによって、ポンプ１７内の羽根車が回転し、ポンプ１７は貯水容器１１内の水を吸い上げ、第１の管１９へ水を送る。
【００２１】
連結ユニット２１は、第１の連結部２２と第２の連結部２３とを有している。第１の連結部２２と第２の連結部２３とは着脱自在な構成である。
【００２２】
第１の連結部２２は、第１の管１９の他端側の端部に接続されている。貯水容器１１を本体ケース１における前面側へ引き出すと、第１の連結部２２は第２の連結部２３から外れ、貯水容器１１とポンプ１７と第１の管１９と第１の連結部２２とが一体となって本体ケース１から外れる。
【００２３】
第２の連結部２３は、仕切板部４の下面に固定され、第２の管２０の一方側の端部と接続されている。連結ユニット２１である第１の連結部２２と第２の連結部２３は、第１の管１９と第２の管２０とを連通している。ポンプ１７によって、第１の管１９へ送られた水は、連結ユニット２１を介して、筒形状である第２の管２０へ送られる。第２の管２０の他方側の端部は、供給部１５に接続されている。第２の管２０は、仕切板部４における孔である第１の連通部４Ａを介して、第２の空間部６から第１の空間部５へ延びている。なお、第２の管２０の外面は、第１の連通部４Ａである孔に嵌っており、第２の管２０と第１の連通部４Ａとの間には実質的な隙間が無い状態である。
【００２４】
供給部１５は、加湿フィルター１２の上端部の上方に配置され、第２の管２０から送られた水を、加湿フィルター１２へ滴下する。
【００２５】
トレイ部１６は、加湿フィルター１２の下端部の下方に配置され、仕切板部４に固定されている。トレイ部１６は、仕切板部４における孔である第２の連通部４Ｂを介して、第１の空間部５から第２の空間部６へ延びている。加湿フィルター１２で保水されない余剰水は、トレイ部１６を介して貯水容器１１へ戻される。なお、トレイ部１６の外面は、第２の連通部４Ｂである孔に嵌っており、トレイ部１６と第２の連通部４Ｂとの間には実質的な隙間が無い状態である。
【００２６】
供給部１５と加湿フィルター１２とトレイ部１６とによって、第１の空間部５は、第１の前面空間部２４と第１の背面空間部２５の２つの空間に仕切られている。第１の前面空間部２４は、加湿フィルター１２より前面側の空間であり、第１の背面空間部２５は、加湿フィルター１２より背面側の空間である。
【００２７】
送風部３は、第１の背面空間部２５に固定されている。送風部３は、スクロール形状のケーシング２６と、ケーシング２６に固定されたモーター２７と、モーター２７によって回転する羽根２８とを備えている。ケーシング２６は、上面に吐出口２９を、前面側に給気口３０を備えている。ケーシングの給気口３０は、加湿フィルター１２と吸込口７とに対向している。
【００２８】
以上の構成における加湿動作について説明する。ポンプモータ１８によってポンプ１７が駆動すると、ポンプ１７は貯水容器１１内の水を吸い上げ、第１の管１９、連結ユニット２１、第２の管２０を介して、供給部１５へ水を送る。供給部１５は、第２の管２０から送られた水を、加湿フィルター１２へ滴下する。加湿フィルター１２は、滴下した水の一部を保水する。加湿フィルター１２で保水されない余剰水は、トレイ部１６を介して貯水容器１１へ戻される。この状態で、送風部３のモーター２７によって羽根２８が回転すると、本体ケース１外の空気が、吸込口７から第１の空間部５内へ吸い込まれ、加湿フィルター１２へ送風される。保水した加湿フィルター１２を通過するときに空気が加湿され、この加湿された空気が、送風部３の給気口３０、吐出口２９を介して、吹出口８から本体ケース１外へ送風される。
【００２９】
本実施形態の特徴は、本体ケース１の形状と、部品の配置である。具体的には、本体ケース１は、仕切板部４によって第１の空間部５と第２の空間部６とに仕切られ、第２の空間部６には着脱自在に貯水容器１１を設け、第１の空間部５には吸込口７と吹出口８とを連通する風路１０を設けている。このように、貯水容器１１は風路１０の外に配置されたので、貯水容器１１と本体ケース１との間の隙間から風路１０を介して送風部３へ吸い込まれる空気が低減し、更に加湿量が向上するという効果を得ることができる。
【００３０】
また第１の空間部５は第２の空間部６の上方に配置され、第１の連通部４Ａと第２の連通部４Ｂとは、貯水容器１１の上方に配置された。これにより、供給部１５または加湿フィルター１２から水が飛び出し、仕切板部４の上面に滴下した場合に、第１の連通部４Ａとポンプ部１４である第２の管２０との間、または、第２の連通部４Ｂとトレイ部１６との間から、毛細管現象によって、第１の空間部５から第２の空間部６へ移動し、貯水容器１１に滴下するので、本体ケース１外へ水が漏れることを抑制できる。
【産業上の利用可能性】
【００３１】
本発明にかかる加湿装置は、家庭用や事務所用などに使用される加湿装置等として有用である。
【符号の説明】
【００３２】
１    本体ケース
２    加湿部材
３    送風部
４    仕切板部
４Ａ    第１の連通部
４Ｂ    第２の連通部
５    第１の空間部
６    第２の空間部
７    吸込口
８    吹出口
９    操作部
１０    風路
１１    貯水容器
１２    加湿フィルター
１３    水供給部材
１４    ポンプ部
１５    供給部
１６    トレイ部
１７    ポンプ
１８    ポンプモータ
１９    第１の管
２０    第２の管
２１    連結ユニット
２２    第１の連結部
２３    第２の連結部
２４    第１の前面空間部
２５    第１の背面空間部
２６    ケーシング
２７    モーター
２８    羽根
２９    吐出口
３０    給気口
【図１】
2018054194.tif 000003
【図２】
2018054194.tif 000004